(57)【特許請求の範囲】
【請求項１】
少なくとも燃料ガス圧縮機と、この燃料ガス圧縮機の吐出側からガスタービンの吸込側へ燃料ガスを供給可能に形成したガス流路と、このガス流路中の燃料ガスの圧力を検出する圧力検出器と、圧力調整弁を介して前記燃料ガス圧縮機の吸込側と吐出側を連通するガスバイパス流路とを有するガスタービン用燃料ガス供給装置において、
燃料ガス圧縮機により、ガスタービンが起動可能なように該ガスタービンの吸込側の燃料ガスの圧力を定格圧力まで上昇させる待機運転を行うに際し、前記圧力検出器により燃料ガス圧縮機の吐出側の圧力を検出するとともに、前記圧力調整弁の開度を、時間ｔ０から時間ｔ１まで開度の変化率を一定のまま全開から、下記の式１”、式２”及び式３”より定められる所定開度Ｃｖ（ｔ１−ｔ２）になるまで変化させ、時間ｔ１から時間ｔ２まで前記所定開度Ｃｖ（ｔ１−ｔ２）を保持し、時間ｔ２から時間ｔ３に達するまで開度の変化率を一定のまま全閉になるまで変化させるようにした、予め設定されたプログラム関数によって制御することを特徴とするガスタービン用燃料ガス圧縮機の待機運転方法。
【数１】
0003810897.tif 000004
【請求項２】
少なくとも燃料ガス圧縮機と、この燃料ガス圧縮機の吐出側からガスタービンの吸込側へ燃料ガスを供給可能に形成したガス流路と、このガス流路中の燃料ガスの圧力を検出する圧力検出器と、前記ガス流路中の燃料ガスの温度を検出する温度検出器と、圧力調整弁を介して前記燃料ガス圧縮機の吸込側と吐出側を連通するガスバイパス流路とを有するガスタービン用燃料ガス供給装置において、
燃料ガス圧縮機の吐出側の燃料ガスの設定圧力をガスタービンの吸込側の燃料ガスの定格圧力よりも低く設定して燃料ガス圧縮機の待機運転を開始し、燃料ガス圧縮機の吐出側の燃料ガスの、設定圧力に対応する温度と前記温度検出器による温度とが一致した時点で、燃料ガス圧縮機の吐出側の燃料ガスの設定圧力をガスタービンの吸込側の燃料ガスの定格圧力に変更して燃料ガス圧縮機の待機運転を行うことを特徴とするガスタービン用燃料ガス圧縮機の待機運転方法。
【発明の詳細な説明】
【０００１】
【発明の属する技術分野】
本発明は、例えば、ガスタービン発電設備のガスタービン用燃料ガス圧縮機の待機運転方法の技術分野に属するものである。
【０００２】
【従来の技術】
従来、ガスタービン発電設備におけるガスタービン用燃料ガス供給設備としては、図５に示す設備が公知である。図５に示す燃料ガス供給設備は、燃料ガスが燃料ガス供給元から逆止弁14を経由して圧縮機１の吸込口に連通する吸込配管４を通じて、圧縮機１の吸込側に供給されるように形成されている。一方、圧縮機１で圧縮された燃料ガスは圧縮機１の吐出口に連通する吐出配管３を通じて吐出アキュムレータ６に供給され、さらに遮断弁13を経由してガスタービン２に供給されるように形成されている。吐出配管３と吸込配管４は圧力調整弁８を介してバイパス配管９によっても接続されている。また、逆止弁14と圧縮機１の間に吸込アキュムレータ５を設けている。
【０００３】
前記吐出配管３には、吐出側の圧縮された燃料ガスの圧力を検出する圧力検出器７が設けてある。圧力検出器７で検出された燃料ガスの圧力は信号に変換され、圧力調整弁制御部11に送り込まれる。圧力調整弁制御部11では、圧力検出器７からの検出圧力信号10を受けて、これと予め設定されている燃料ガスの圧力とを比較して、吐出側の燃料ガスの圧力を予め設定されている燃料ガスの圧力に調整するために、圧力調整弁８へ、この弁の開度を調整する圧力調整弁制御信号12を送り出す。
【０００４】
具体的には、例えば、定常運転時、圧力調整弁制御部11では、内部に比例演算部Ｐ、積分演算部Ｉあるいはそれらの機能を果たす制御部を有し、前記圧力検出器７からの検出圧力信号10により比例演算、積分演算した値に基づいて、圧力調整弁８の開度を計算し、それに従って、この弁の開度を調整する圧力調整弁制御信号12を圧力調整弁８に送り出す。この圧力調整弁制御信号12を受けて圧力調整弁８が開閉する。設定された燃料ガスの圧力よりも吐出側の燃料ガスの圧力の方が高い場合は、圧力調整弁８が開き圧縮機１の吐出側の圧縮された燃料ガスの一部がバイパス配管９を通じ、圧力調整弁８を介して圧縮機１の吸込側に戻される。このようにして、吐出側の燃料ガスの圧力は、設定値に保持される。
【０００５】
上記の構成において、ガスタービン２を定常運転する前に、まず、ガスタービン２が起動可能なようにガスタービン２の吸込側の燃料ガスの圧力を定格圧力まで上昇させる圧縮機１の待機運転が行われる。圧縮機１の待機運転は、遮断弁13を全閉、前記圧力調整弁８をある時間内で弁開度が全開から全閉方向に作動させる。圧縮機１の待機運転とともに燃料ガスは徐々に圧縮され、定格圧力まで高められる。
【０００６】
【発明が解決しようとする課題】
前記のような、ガスタービン用燃料ガス供給設備では、ガスタービン２の定常運転前の圧縮機１の待機運転において、圧縮機１の吐出側、すなわちガスタービン２の吸込側の燃料ガスの圧力は上昇していく。そして、圧力調整弁８を介して圧縮機１の吐出側と通じている吸込側の燃料ガスの圧力も上昇し、圧縮機１の吐出側の燃料ガスの圧力が定格圧力まで高まると逆止弁14は閉止状態となる。圧縮機１の待機運転が終了し、遮断弁13を全開し、ガスタービン２が起動すると逆止弁14は開状態にもどる。
【０００７】
しかし、従来技術の待機運転では、図６(a) に示すように、圧力調整弁８の開度は全開から全閉まで直線的に変化するため、吐出側の燃料ガスの圧力Ｐｄは、図６(b) に示すように、圧力調整弁８の開度変化とともに上昇する。また、吐出側の燃料ガスの圧力Ｐｄの上昇にともない吐出側の燃料ガスの温度Ｔｄも上昇し、これにより圧縮機１の吸込側の燃料ガスの温度Ｔｓも上昇する。しかし、燃料ガスの温度の上昇は圧力の上昇よりも、系の熱容量の影響で時間的に遅れるため、図６(c) に示すように、圧縮機１の吸込側では、遅れによる温度の上昇分だけ燃料ガスの圧力がさらに上昇することになる。したがって、圧縮機１の吸込側では、圧縮機１の内部構成品に不具合が生じない最大の許容圧力Ｐｓmax 以上の圧力が加わり、内部構成品の破損などの不具合を生じる可能性がある。
【０００８】
本発明は、上記の問題点を解決するためになされたもので、圧縮機の待機運転における圧縮機の吸込側の燃料ガスの圧力を設備に不具合を起こす圧力以上に上昇するのを抑制し、圧縮機の吐出側の燃料ガスの圧力を定格圧力までしか上昇させないガスタービン用燃料ガス圧縮機の待機運転方法を提供することを目的とする。
【０００９】
【課題を解決するための手段】
第１発明は、少なくとも燃料ガス圧縮機と、この燃料ガス圧縮機の吐出側からガスタービンの吸込側へ燃料ガスを供給可能に形成したガス流路と、このガス流路中の燃料ガスの圧力を検出する圧力検出器と、圧力調整弁を介して前記燃料ガス圧縮機の吸込側と吐出側を連通するガスバイパス流路とを有するガスタービン用燃料ガス供給装置において、燃料ガス圧縮機により、ガスタービンが起動可能なように該ガスタービンの吸込側の燃料ガスの圧力を定格圧力まで上昇させる待機運転を行うに際し、前記圧力検出器により燃料ガス圧縮機の吐出側の圧力を検出するとともに、前記圧力調整弁の開度を、時間ｔ０から時間ｔ１まで開度の変化率を一定のまま全開から、下記の式１”、式２”及び式３”より定められる所定開度Ｃｖ（ｔ１−ｔ２）になるまで変化させ、時間ｔ１から時間ｔ２まで前記所定開度Ｃｖ（ｔ１−ｔ２）を保持し、時間ｔ２から時間ｔ３に達するまで開度の変化率を一定のまま全閉になるまで変化させるようにした、予め設定されたプログラム関数によって制御するガスタービン用燃料ガス圧縮機の待機運転方法である。
【数２】
0003810897.tif 000002
【００１０】
第二発明は、少なくとも燃料ガス圧縮機と、この燃料ガス圧縮機の吐出側からガスタービンの吸込側へ燃料ガスを供給可能に形成したガス流路と、このガス流路中の燃料ガス圧力を検出する圧力検出器と、前記ガス流路中の燃料ガス温度を検出する温度検出器と、圧力調整弁を介して前記燃料ガス圧縮機の吸込側と吐出側を連通するガスバイパス流路とを有するガスタービン用燃料ガス供給装置において、燃料ガス圧縮機の吐出側の燃料ガスの設定圧力をガスタービンの吸込側の燃料ガスの定格圧力よりも低く設定して燃料ガス圧縮機の待機運転を開始し、燃料ガス圧縮機の吐出側の燃料ガスの、設定圧力に対応する温度と前記温度検出器による温度とが一致した時点で、燃料ガス圧縮機の吐出側の燃料ガスの設定圧力をガスタービンの吸込側の燃料ガスの定格圧力に変更して燃料ガス圧縮機の待機運転を行うガスタービン用燃料ガス圧縮機の待機運転方法である。
【００１１】
【発明の実施の形態】
実施例１
以下、本発明の実施例を図面に基づいて説明する。図１は本発明の第一発明の実施例に係わるガスタービン用燃料ガス供給設備の構成図である。図５に示すガスタービン用燃料ガス供給設備と共通する部分については、互いに同一番号を付して説明を省略する。本実施例では圧力調整弁制御部11’に、従来の比例演算部、積分演算部に加えて微分演算部、記憶部、データ入力部などを有する。
【００１２】
上記圧力調整弁制御部11’のデータ入力部には、圧力検出器７からの圧縮機１の吐出側の燃料ガスの圧力のほか、燃料ガスの供給元での燃料ガスの圧力、温度、待機運転中の圧縮機１の吸込側および吐出側の燃料ガスの圧力、温度、圧縮機１の吸込側および吐出側の容積、ガスタービン２の吸込側の燃料ガスの定格圧力値などの数値データが入力可能である。また、記憶部には第一発明の要諦であるプログラム関数が保持されている。
【００１３】
図２(a) にプログラム関数を示す。図２(a) において、横軸は待機運転開始からの経過時間を、縦軸は圧力調整弁制御部11’からの圧力調整弁制御信号12の値を示す。圧力調整弁８の開度は圧力調整弁制御信号12の値に依存するため、図２(a) の縦軸は圧力調整弁８の開度をも示す。すなわち、縦軸の目盛りは 0％のとき、圧力調整弁８の全開を示し、 100％のとき、圧力調整弁８の全閉を示す。適用されるプログラム関数の形状は、圧縮機１および圧力調整弁８そのものの特性などにより一意的に決定されるものである。
【００１４】
次に、図２(a) に示すプログラム関数の形状について説明する。圧力調整弁８が全開の状態から圧縮機１の待機運転が時間t0から開始され、時間t1までは、ある傾きで、すなわち、開度の変化率を一定のまま、徐々に閉状態に移行する。時間t1を経過後、時間t2に達するまでは、ある開度を保持し、時間t2を経過後は、再度、ある傾きで、すなわち、開度の変化率を一定のまま、徐々に閉状態に移行し、時間t3で圧力調整弁８は全閉状態になる。
【００１５】
圧縮機１の吸込側の燃料ガスの圧力の変化に対して、燃料ガスの温度の変化は時間的に遅れを生じ即座に対応しない。そこで、時間t0から時間t1までの間と、時間t2から時間t3までの間の圧力調整弁８の開度の時間的変化は、燃料ガスの温度変化の時間的遅れを加味して、経験則的にある固定値が定められており、その固定値が前記圧力調整弁制御部11’内の記憶部に保持されている。従って、時間t1から時間t2間の圧力調整弁８の開度が決まれば、時間t1および時間t2は、おのずと、その具体的な値が求められる。
【００１６】
ここで、時間t1から時間t2間の圧力調整弁８の開度の決定は次のようにして行う。圧縮機１の吸込側と吐出側では、別々にボイル−シャルルの法則が成立し、圧縮機１の吸込側では下記式１が、吐出側では式２が成立する。
（Ｐｓ×Ｖｓ）／（２７３＋Ｔｓ）＝Ｃｓ…………式１
（Ｐｄ×Ｖｄ）／（２７３＋Ｔｄ）＝Ｃｄ…………式２
ここで、Ｐｓは吸込側の燃料ガスの圧力、Ｖｓは吸込側の体積、Ｔｓは吸込側の燃料ガスの温度、Ｃｓはコンスタント、Ｐｄは吐出側の燃料ガスの圧力、Ｖｄは吐出側の体積、Ｔｄは吐出側の燃料ガスの温度、Ｃｄはコンスタントである。なお、ＶｓおよびＶｄは、各々吸込側の吸込配管４、吐出側の吐出配管３およびこれらに連通する配管の容積から決まり、既知数と見なすことができる。
【００１７】
Ｃｓは、式１のＶｓに既知数であるＶｓを、ＰｓとＴｓには初期値である待機運転前の吸込側の燃料ガスの圧力および温度の実測値を代入して求める。このようにして求めたＣｓと既知数であるＶｓが定数で、ＰｓとＴｓが変数である式１が圧力調整弁制御部11’内の記憶部に保持される。同様にＣｄは、式２のＶｄに既知数であるＶｄを、ＰｄとＴｄには初期値である待機運転前の吸込側の燃料ガスの圧力および温度の実測値を代入して求める。このようにして求めたＣｄと既知数であるＶｄが定数で、ＰｄとＴｄが変数である式２が圧力調整弁制御部11’内の記憶部に保持される。
【００１８】
ここで、式１のＰｓに、圧縮機１の内部構成品に不具合が生じない最大の許容圧力Ｐｓmax を代入すると、このときの吸込側のＴｓに対応する燃料ガスの温度Ｔｓmax が求まる。すなわち、式１のＰｓに最大の許容圧力Ｐｓmax を代入すると、下記式１’となる。この式１’より下記式１”が導かれる。さらに、式２のＴｄに、式１から求めたＴｓmax を代入すると、このときの吐出側のＰｄに対応する燃料ガスの圧力Ｐｄmax が求まる。すなわち、式２のＴｄに、式１から求めたＴｓmax を代入すると、下記式２’となる。この式２’より、下記式２”が導かれる。このＰｄmax は圧力調整弁８を経由して圧縮機１の吸込側から吸い込まれる圧縮機１に許容される燃料ガスのＴｓmax とバランスする吐出側の圧力を意味している。
【数３】
0003810897.tif 000003
【００１９】
次いで、式３を用いて圧力調整弁８の開度を求める。式３は圧力調整弁の容量を求める一般式である。
【００２０】
Ｃｖ＝Ｑ（Ｇ・Ｔ）1/2 ／(250Ｐ1 ・ＦL ) ………………式３
ここで、Ｃｖは圧力調整弁８の開度、Ｑは気体の体積流量、Ｇは密度、Ｔは圧力調整弁入口の流体温度（273+℃）、Ｐ1 は圧力調整弁入口圧力、ＦL は圧力回復係数、２５０は使用した圧力調整弁固有の係数である。式３を本発明のプログラム関数用に変形したものが式３’、式３”である。
【００２１】
Ｃｖ＝Ｖｄ(6.273×Ｔｄ)1/2／(250×Ｐｄ×ＦL ) ………式３’
ここで、ＴｄにＴｓmax 、ＰｄにＰｄmax を代入したものが式３”である。
Ｃｖ(t1-t2) ＝Ｖｄ(6.273×Ｔｓmax )1/2／(250×Ｐｄmax ×ＦL ) …式３”
実施例では、ＦL に0.8 を用いた。なお、使用した燃料ガスは都市ガス１３Ａである。
【００２２】
式３’でＴｄにＴｓmax 、ＰｄにＰｄmax を代入する理由は、圧縮機１が待機運転中は圧力調整弁８を介して圧縮機１の吐出側と吸込側が連通した閉回路であるため、吐出側の燃料ガスは吸込側に戻る。従って、吸込側の燃料ガスの温度は吐出側の燃料ガスの温度近くまで上昇するからである。
【００２３】
上記、式３”から求めたＣｖ(t1-t2) が図２(a) に示すプログラム関数の時間t1から時間t2間の平坦部、すなわち圧力調整弁８の開度を一定状態にした時の圧力調整弁８の開度である。以上の手順により、圧力調整弁制御部11’内で時間t1から時間t2間の圧力調整弁８の開度が算出されることにより、時間t1、t2の具体的な値も一意的に決まり、ひいては、圧縮機１の待機運転における圧力調整弁８の開度の制御を司るところのプログラム関数全体の形状が決定される。
【００２４】
次に、プログラム関数を用いた待機運転方法について説明する。前述のように待機運転中の燃料ガスの温度上昇は、圧力の上昇よりも遅れ、この遅れによるさらなる圧力の上昇がＰｓmax を超えて、圧縮機１の内部構成品に不具合をもたらす。このため、図２(b) に示すように、圧縮機１に許容される吸込側の燃料ガスの圧力Ｐｓmax より決定される吐出側の燃料ガスの圧力Ｐｄmax と、このときの吐出側の燃料ガスの温度Ｔｓmax （Ｔｄ＝Ｔｓmax ）を設定する。この条件で、圧縮機１を待機運転すると、燃料ガスの圧力は上昇し、Ｐｄmax に達した時点（t1）で、プログラム関数に基づいて圧力調整弁８は、式３”で求めた圧力調整弁８の開度に保持される。このため、吐出側の燃料ガスの圧力Ｐｄmax は一定となる。この間、吐出側の燃料ガスの温度は遅れて上昇し、t2でＴｓmax に達する。吐出側の燃料ガスの温度がＴｓmax に達した時点（t2）で、プログラム関数に基づいて圧力調整弁８は全閉の方向に制御される。
【００２５】
プログラム関数を用いた待機運転時の圧縮機１の燃料ガスの常用吸込圧力と常用吸込温度を図２(c) に示す。図２(c) に示すように、燃料ガスの温度上昇は遅れるものの、時間t1、t2間での燃料ガスの圧力上昇は認められない。すなわち、第一発明は、吐出側の燃料ガスの温度上昇の遅れによる圧力の上昇を時間t1、t2間で、吐出側の燃料ガスの圧力がＰｄmax 以上にならないように圧力調整弁８で抑制し、これにより温度上昇の遅れによる圧縮機１の吸込側への余分な圧力負荷を避けるものである。なお、本実施例の待機運転では、t0〜t1が 3分、t1〜t2が 7分、t2〜t3が10分、合計20分間である。また、時間t1、t2間の圧力調整弁８の開度は60％である。
【００２６】
上記のように、プログラム関数に基づいて、圧力調整弁８の開度を制御できるように構成することによって、圧縮機１の吐出側の燃料ガスの昇圧に対し、それに伴う圧縮機１の吸込側の燃料ガスの急激な圧力上昇、温度上昇を回避し、圧縮機１の吸込部の内部構成品に、その構成品が許容する圧力値以上の圧力が負荷されるのを回避することができる。
【００２７】
実施例２
本発明の第二発明について説明する。図３は第二発明の実施例に係わるガスタービン用燃料ガス供給設備の構成図である。図１および図５に示すガスタービン用燃料ガス供給設備と共通する部分については、互いに同一番号を付して説明を省略する。図３では図５に示したガスタービン用燃料ガス供給設備の構成に加え、圧縮機１の吐出側からガスタービン２の吸込側へ燃料ガスを供給する吐出配管３に燃料ガスの温度を検出する温度検出器15が設けてある。
【００２８】
第二発明は、圧縮機１の待機運転当初は燃料ガスの設定圧力値をガスタービン２の吸込側の定格圧力よりも低く設定して圧縮機１を運転し、圧力検出器７で検出した吐出側の燃料ガスの圧力が設定圧力値に達した時点で、前記の式２を用いて、この時点での燃料ガスの温度（設定圧力に対応する温度）を求め、この温度と温度検出器15で検出した温度とを比較し、両者に差がなくなれば、定格圧力よりも低く設定していた設定圧力値を定格圧力に変更して運転し、吐出側の燃料ガスの圧力を定格圧力まで高める。このようにして圧縮機１を待機運転することによって、圧縮機１の吸込側の内部構成品に許容圧力以上の圧力が加わり、内部構成品が破損するなどの不具合を防止することができる。なお、吐出側の燃料ガスの圧力が設定圧力値に達した時点での式２による燃料ガスの温度と、温度検出器15で検出した温度とが一致する温度を飽和吐出温度と呼ぶ。
【００２９】
次に、第二発明の圧縮機の待機運転方法について、図４に示すフローチャートを用いて説明する。図４の(1) において、設定圧力値（Ｐsv−ΔＰsv）を設定し、この値を圧力調整弁制御部11”に入力する。ここで、Ｐsvはガスタービン２の吸込側の燃料ガスの定格圧力、ΔＰsvは差分圧力値で、予想される飽和吐出温度から式２を用いて求める。
【００３０】
設定圧力値を設定後、図４の(2) において、圧縮機１の待機運転を開始する。圧力調整弁８の開度は、設定圧力値に基づいて予め決められた開度に制御される。圧縮機１の待機運転にともない、圧縮機１の吐出側の燃料ガスの圧力は上昇する。図４の(3) において、圧縮機１の吐出側の燃料ガスの温度が飽和吐出温度に達したかどうかの判断を行い、YES であれば設定圧力値を定格圧力に変更し、NOであれば設定圧力値のままで、圧縮機１の待機運転を継続する。
【００３１】
その後、圧縮機１の吐出側の燃料ガスの温度が飽和吐出温度に達した後、図４の(4) において、設定圧力値を定格圧力Ｐsvに変更して、圧縮機１の待機運転を継続する。圧縮機１の待機運転を継続し、圧縮機１の吐出側の燃料ガスの圧力が定格圧力に達した時点で圧縮機１の待機運転は完了する。圧縮機１の待機運転中、圧力調整弁制御部11”は圧力検出器７で検出した圧力、温度検出器15で検出した温度、設定圧力値、定格圧力に基づいて、圧力調整弁８の開度設定および圧縮機１の吐出側の燃料ガスの温度が飽和吐出温度に達したかどうかの判断を行う。
【００３２】
なお、圧縮機１の吐出側の燃料ガスの温度が飽和吐出温度に達する時間よりも十分長く設定圧力値で圧縮機１を待機運転する場合は、タイマーによる判断で設定圧力値を定格圧力値に変更してもよい。この場合は、図４の(3) において、圧縮機１の待機運転時間が飽和吐出温度に達する時間よりも長くなったかどうかの判断を行い、YES であれば図４の(4) において、設定圧力値を定格圧力値に変更して圧縮機１の待機運転を継続する。
【００３３】
上記のように、圧縮機の吐出側の燃料ガスの設定圧力をガスタービンの吸込側の燃料ガスの定格圧力よりも低く設定して圧縮機の待機運転を開始し、圧縮機１の吐出側の燃料ガスの温度が飽和吐出温度に達した時点で、設定圧力を定格圧力に変更するように、圧力調整弁８の開度を制御できるように構成することによって、第一発明と同等の効果を奏するとともに、第一発明における図２(a) のようなプログラム関数の設定項目を減らしたことにより、より簡便にガスタービン用燃料ガス圧縮機の待機運転を行うことができる。
【００３４】
【発明の効果】
以上、述べたところから明らかなように、本発明の第一発明によれば、圧縮機の吸込側の燃料ガスの圧力上昇に対し、それに伴う圧縮機の吸込側の燃料ガスの温度上昇の時間的な遅れを加味した制御が可能で、これにより圧縮機の吸込側の急激な圧力上昇、温度上昇を回避し、圧縮機の吸込部の内部構成品に、その構成品が許容する圧力値以上の圧力が負荷されるのを回避することができる。さらに、第二発明によれば、第一発明と同等の効果を奏するとともに、第一発明における図２(a) のようなプログラム関数の設定項目を減らしたことにより、より簡便にガスタービン用燃料ガス圧縮機の待機運転を行うことができる。
【図面の簡単な説明】
【図１】実施例１におけるガスタービン用燃料ガス供給設備を示す図である。
【図２】実施例１を説明する図で、(a) はプログラム関数を、(b) は吐出側の燃料ガスの温度と圧力を、(c) は常用吸込圧力と常用吸込温度を示す図である。
【図３】実施例２におけるガスタービン用燃料ガス供給設備を示す図である。
【図４】実施例２におけるガスタービン用燃料ガス供給設備における圧縮機の待機運転方法を示すフローチャート図である。
【図５】従来のガスタービン発電設備におけるガスタービン用燃料ガス供給設備の例を示す図である。
【図６】従来技術を説明する図で、(a) は圧力調整弁開度を、(b) は吐出側の燃料ガスの温度と圧力を、(c) は吸込側の燃料ガスの温度と圧力を示す図である。
【符号の説明】
１…圧縮機、２…ガスタービン、３…吐出配管、４…吸込配管、５…吸込アキュムレータ、６…吐出アキュムレータ、７…圧力検出器、８…圧力調整弁、９…バイパス配管、10…検出圧力信号、10’…検出温度信号、11…圧力調整弁制御部、11’…圧力調整弁制御部、11”…圧力調整弁制御部、12…圧力調整弁制御信号、13…遮断弁、14…逆止弁、15…温度検出器。
【図１】
0003810897.tif 000005
【図２】
0003810897.tif 000006
【図３】
0003810897.tif 000007
【図４】
0003810897.tif 000008
【図５】
0003810897.tif 000009
【図６】
0003810897.tif 000010